(57)【要約】【課題】着用者の上半身の快適性を損なわずに下半身を冷却でき、着用が容易な空調ウェアを提供する。【解決手段】空調ウェア１０は、上着２１と、外気を上着２１と着用者の上半身１０１との間に送風可能な送風ファン５１と、ズボン７１とを備える。周方向の背中側のズボン７１の上端には密着部７５が設けられ、密着部７５より下側のズボン７１には通風部８４が設けられている。周方向において通風部８４と重なる上着２１の下端のコード挿通部４２は、上着２１と上半身１０１との間に外気２００が送風された状態でズボン７１に外側から密着可能である。【選択図】図８
2020125550.tif 000002
【特許請求の範囲】
【請求項１】
着用者の胴部、胸部、肩部を覆い、前記肩部の近傍又は前記肩部より上側の前記着用者の部位に密着可能で、袖口が前記着用者に密着可能な上着と、
前記上着に設けられ、外気を前記上着と前記着用者の上半身との間に送風可能な送風ファンと、
前記着用者の腰部及び脚部を覆うズボンと、
を備え、
前記ズボンの上端に、前記腰部に密着する密着部が設けられ、
前記密着部より下側の前記ズボンに、前記着用者の下半身との間に前記外気を通す通風部が設けられ、
周方向において前記上着の下端の少なくとも前記通風部と重なる部分は、前記上着と前記着用者の上半身との間に前記外気が送風された状態で前記ズボンに外側から密着可能である、
空調ウェア。
【請求項２】
前記周方向において、
前記通風部は前記腰部の背中側に当たる部分に設けられ、
前記上着の前記腰部の背中側の着丈が他の部分の着丈より長い、
請求項１に記載の空調ウェア。
【請求項３】
前記上着の下端は、
前記周方向に沿って設けられたコード挿通部と、
前記コード挿通部に形成されたコード取出口と、
前記コード挿通部に挿通され、両端部が前記コード取出口から前記コード挿通部の外部に取り出されたコードと、
前記両端部を係止するストッパーと、
を備える、
請求項１又は２に記載の空調ウェア。
【発明の詳細な説明】
【技術分野】
【０００１】
本発明は、空調ウェアに関する。
【背景技術】
【０００２】
近年、屋外のようにエアコンを使用できない環境や、工場や建物内の修理点検現場のようにエアコンの効果が得られにくい環境において、作業者が快適に作業を行うことができるように、作業者が空調ウェアを着用する機会が増えている。空調ウェアは、空調服とも呼ばれ、服に取り付けられた送風ファンによって服と着用者の体の表面との間に外気を取り入れ、着用者の体の表面に風を流し、汗を気化させ、気化熱によって体を冷ますことができるように構成されている。
【０００３】
例えば、特許文献１には、内着と内着の上に着る上着とを備えた空調ウェアが開示されている。特許文献１に記載されている空調ウェアでは、内着と上着との間且つ着用者の胴部の下部に外気を取り込むための開口部が設けられている。外気は、開口部から内着と上着との間を通り、ファン等の送風手段によって内着と着用者の下着又は身体との間に取り込まれる。特許文献１には、上着がつなぎであって、内着の腰部に下着又は身体との密着度を調整可能なベルトが設けられた形態が開示されている。ベルトを緩めることにより、外気が外着と下半身との間に流れ、外着のズボン部分の裾部から外部に排出される。
【先行技術文献】
【特許文献】
【０００４】
【特許文献１】特開２００６−３０７３５４号公報
【発明の概要】
【発明が解決しようとする課題】
【０００５】
特許文献１に記載されている空調ウェアでは、着用者が腰部を曲げると、内着に取り付けられているファンは、内着と共に上半身の肩側に移動する。上着（外着）はつなぎ服であるため腰部に当たる部分が突っ張るが、外気取入口は送風ファンの吸引口に対して上下方向に余裕をもたせて大きく形成されている。そのため、腰部を曲げることによりファンが上方向にずれても、ファンの吸引口が上着の布地によって塞がれて外気を吸引できなくなることはない。このように、上着がつなぎであり、且つ内着の腰部にベルトが設けられた形態において、着用者の下半身を冷却できる。
【０００６】
しかしながら、前述の空調ウェアでは、内着とつなぎの双方を着なければならないので、上半身が暑くなって快適感が低下すると共に、着用が面倒であるという問題があった。
【０００７】
本発明は、上述の事情に鑑みてなされたものであり、着用者の上半身の快適性を損なわずに下半身を冷却でき、着用が容易な空調ウェアを提供する。
【課題を解決するための手段】
【０００８】
本発明の空調ウェアは、着用者の胴部、胸部、肩部を覆い、前記肩部の近傍又は前記肩部より上側の前記着用者の部位に密着可能で、袖口が前記着用者に密着可能な上着と、前記上着に設けられ、外気を前記上着と前記着用者の上半身との間に送風可能な送風ファンと、前記着用者の腰部及び脚部を覆うズボンと、を備え、前記ズボンの上端に、前記腰部に密着する密着部が設けられ、前記密着部より下側の前記ズボンに、前記着用者の下半身との間に前記外気を通す通風部が設けられ、周方向において前記上着の下端の少なくとも前記通風部と重なる部分は、前記上着と前記着用者の上半身との間に前記外気が送風された状態で前記ズボンに外側から密着可能であることを特徴とする。
【０００９】
本発明の空調ウェアでは、前記周方向において、前記通風部は前記腰部の背中側に当たる部分に設けられ、前記上着の前記腰部の背中側の着丈が他の部分の着丈より長くてもよい。
【００１０】
本発明の空調ウェアでは、前記上着の下端は、前記周方向に沿って設けられたコード挿通部と、前記コード挿通部に形成されたコード取出口と、前記コード挿通部に挿通され、両端部が前記コード取出口から前記コード挿通部の外部に取り出されたコードと、前記両端部を係止するストッパーと、を備えていてもよい。
【発明の効果】
【００１１】
本発明の空調ウェアによれば、着用者の上半身の快適性を損なわずに下半身を冷却でき、着用が容易である。
【図面の簡単な説明】
【００１２】
【図１】本発明の一実施形態の空調ウェアの上着の正面図である。
【図２】図１に示す上着の背面図である。
【図３】図１に示す上着の本体を展開して内側から見た正面図である。
【図４】本発明の一実施形態の空調ウェアのズボンの正面図である。
【図５】図４に示すズボンの背面図である。
【図６】図４に示すズボンの本体の上部を展開して内側から見た図である。
【図７】図４に示すズボンの本体の上部の正面図である。
【図８】本発明の一実施形態の空調ウェアの着用時の様子を示す図であり、（ａ）は側面図であり、（ｂ）は腰部周囲を上下方向に沿って切断した断面図である。
【発明を実施するための形態】
【００１３】
以下、本発明の空調ウェア及び空調ウェア本体の好ましい実施形態について、図面を参照して説明する。
【００１４】
本発明の一実施形態の空調ウェア１０は、エアコンを使用できない環境や、エアコンの効果が得られにくい環境において、着用者が快適に作業を行うことができるように構成されている。空調ウェア１０は、上着２１と、送風ファン５１と、ズボン７１と、を備えている。
【００１５】
以下、図１に示すように空調ウェア１０を正面から見たときの前側、後側、左側、右側、上側、下側をそれぞれ、単に「前側」、「後側」、「左側」、「右側」、「上側」、「下側」という。また、前側と後側とを結ぶ方向を前後方向とし、左側と右側とを結ぶ方向を左右方向とし、上側と下側とを結ぶ方向を上下方向とする。
【００１６】
図１に示すように、上着２１は、例えば長袖の上着である。上着２１は、不図示の着用者の胴部、胸部及び肩部を覆う本体４０と、左側及び右側の袖３８，３８と、を有する。上着２１の前側には、上下方向に沿って線ファスナー２６が設けられている。即ち、上着２１は、線ファスナー２６によって前側で開閉可能に構成されている。
【００１７】
上着２１は、首口２２に着脱可能なフード２８を備えている。フード２８の前端には、着用者の顔が現れる開口（首口）２５が設けられている。
【００１８】
開口２５の周縁２４は、袋とじされ、コード挿通部３０が形成されている。コード挿通部３０には、コード３２が挿通されている。コード挿通部３０の下側且つ前側には、コード挿通部３０の周方向に沿って互いに間隔をあけて一対のコード取出口３３，３４が形成されている。コード３２は、コード取出口３３，３４からフード２８の外部且つ前方に取り出されている。コード取出口３３，３４のそれぞれから取り出されたコード３２の端部３５は、ループ状に閉じられている。端部３５には、ストッパー３６が設けられている。
【００１９】
着用者がストッパー３６を解除して把持した状態で、端部３５をコード挿通部３０から引き出し、ストッパー３６で留めると、開口２５の周縁２４が着用者の顔に密着する。着用者がストッパー３６を解除して把持した状態で、端部３５をコード挿通部３０に戻し、ストッパー３６で留めると、周縁２４が緩み、周縁２４と着用者の顔との間に隙間が生じる。
【００２０】
上着２１は、肩部の近傍又は肩部より上側の着用者の部位に密着可能になっている。図１に示すように、フード２８を備えた上着２１は、前述のように解除状態のストッパー３６を把持して端部３５をコード挿通部３０から引き出し、ストッパー３６で留めることによって、着用者の顔（部位）に密着可能である。また、「肩部の近傍」とは、肩よりやや下方で肩甲骨が最も張り出している部位といえるが、着用者の体形や体形に対する上着２１の相対的な大きさによって着用者毎に若干異なる。フード２８が取り外された上着２１は、肩部の近傍で着用者に密着可能になっている。
【００２１】
袖３８の先端には、袖口２３が開いている。袖口２３には、挿通する着用者の手首に対する自身の緩み具合を調節可能な調節部３９が設けられている。調節部３９によって袖口２３の周方向の長さを縮小すれば、袖口２３が着用者の手首近傍に密着可能になっている。
【００２２】
本体４０の裾部（下端）４１は、着用者の胴部の周方向に沿って袋とじされている。裾部４１には、コード挿通部４２が設けられている。図３に示すように、本体４０の内側の面、即ち胴部に向く面において、着用者の左側及び右側の脇下近傍のコード挿通部４２に、一対のコード取出口４３，４４が周方向に沿って互いに間隔をあけて形成されている。周方向の２カ所に形成されたコード取出口４３，４４の間のコード挿通部４２には、コード４５が挿通している。コード４５の周方向の端部（両端部）４６は、コード取出口４３，４４のそれぞれから本体４０の外部に、即ち図３の紙面の手前側に取り出され、ループ状に閉じられている。端部４６には、ストッパー４８が設けられている。
【００２３】
周方向において、上着２１の背中側の着丈は、背中側以外の他の部分の着丈より長く、例えば前側の着丈より長くなっている。言い換えれば、上着２１の裾部４１は、線ファスナー２６との交差位置から周方向に沿って反対側の交差位置に進むと、背中にあたる部分で着丈が長くなるように下降し、背中にあたる部分７０から離れるに従って着丈が線ファスナー２６との交差位置の着丈に戻るように上昇している。
【００２４】
図２及び図３に示すように、送風ファン５１は、周方向において左右の脇下近傍にそれぞれ配置されている。左右の脇下近傍の本体４０には、円形の外形を有する送風ファン５１の筐体５６に合わせて円形の開口部５２が形成されている。送風ファン５１は、筐体ごと開口部５２に対して着脱可能である。筐体５６は送風ファン５１のカバーの役割もはたし、筐体５６には動作時において外気の取り込みを妨げず且つ高速回転する送風ファン５１に着用者の指等が触れないように小さな孔が形成されている。
【００２５】
送風ファン５１は、電気コード５３を介して電源５４に接続され、上着２１と着用者の上半身との間に外気を送風可能である。電源５４は、送風ファン５１を作動させるためのバッテリーを内蔵し、着用時に本体４０の前側にくる部分に設けられたポケット５５に収容可能である。着用者が上着２１を着用した状態で、電源５４を作動させると、送風ファン５１によって外気が上着２１と着用者の上半身との間に取り込まれる。
【００２６】
図３に示すように、本体４０の襟元の内側且つ左右方向の両側に、帯状の襟開口調整部５７，５８が設けられている。襟開口調整部５７は、襟開口調整部５８より長く形成されている。襟開口調整部５７の所定の位置にボタンやマジックテープ（登録商標）等の係止部５９が設けられている。襟開口調整部５８には、複数の挿通孔６０が長手方向に互いに間隔をあけて複数形成されている。襟開口調整部５７を所望の挿通孔６０に通して係止部５９で係止することによって、上着２１の襟元と着用者の首との間に空隙が形成される。フード２８が首口２２の周縁に取り付けられているときは、空隙を通った外気がフード２８の内部に通る。フード２８が首口２２の周縁から取り外されているときは、この空隙が外気の排出口になる。以下では、特筆しない限り、フード２８は上着２１に取り付けられているものとする。
【００２７】
図４及び図５に示すように、ズボン７１は、着用者の腰部及び脚部を覆うように形成され、主に腰部を覆う本体７３と、脚長部７４とを備えている。ズボン７１の脚部を覆う部分且つ股下より下側の所定の位置で、線ファスナー７２によって、本体７３と脚長部７４とを着脱可能になっている。着用者の脚の長さ等に合わせて、所望の長さの脚長部７４を本体７３に取り付け可能である。
【００２８】
ズボン７１の上端に、腰部に密着する密着部７５が設けられている。密着部７５は、着用者の左右方向及び前後方向において最も細いウエスト部位に密着する。ウエスト部位に良好且つ柔軟に密着するように、密着部７５には、帯状のバンド７８、バンド挿通部７９、ストッパー７７及び弾性部７６が設けられている。
【００２９】
密着部７５は、胴部の周方向に沿って袋とじされ、バンド挿通部７９を形成している。着用時に着用者の前側且つ左右方向の略中心にあたる部分のバンド挿通部７９に、一対のバンド取出口８１，８２が周方向に沿って互いに間隔をあけて形成されている。バンド取出口８１，８２の間のバンド挿通部７９には、バンド７８が挿通している。バンド７８の周方向の端部８３は、バンド取出口８１，８２から密着部７５の外部に取り出され、ストッパー７７で留められている。バンド７８の長手方向におけるストッパー７７の位置を調整することによって、密着部７５の全周長及び腰部への密着度が調整される。
【００３０】
弾性部７６は、例えば平ゴムで構成されている。弾性部７６が設けられていることによって、着用者が体を曲げる、或いはしゃがむような動作をしても、弾性部７６がウエスト部位との密着状態を維持しつつ、腰部の動きに柔軟に追従する。図５に示すように、弾性部７６は、周方向において着用者の背中側、即ち後側に設けられている。
【００３１】
図５に示すように、密着部７５より下側の本体７３には、通風部８４が設けられている。通風部８４は、後述するように送風ファン５１によって上着２１と着用者の上半身との間に取り込まれた外気の通り道にあり、例えば任意のメッシュ素材で構成されている。外気を適度に取り込み且つズボン７１の腰部にあたる部分の強度を低下させない観点から、通風部８４の上下方向の大きさは０ｃｍより大きく且つ５ｃｍ以下であることが好ましく、３ｃｍ以上４ｃｍ以下であることがより好ましい。
【００３２】
通風部８４は、上下方向においてウエスト部位と前後方向において最も後側に張り出している尻部との間にあたる本体７３に設けられている。詳細には、図８（ａ）に示すように、通風部８４は、裾部４１のうち背中にあたる部分７０のコード挿通部４２及びコード４５より上側に配置されている。言い換えれば、上着２１の背中側即ち後側の着丈は、上着２１の背中側即ち後側のコード挿通部４２が通風部８４より下側に位置するように長くなっている。このことによって、周方向において、裾部４１のうち背中にあたる部分７０と通風部８４が重なる部分では、上着２１と着用者の上半身との間に外気が送風された状態で、コード挿通部（裾部の下端）４２及びコード４５が通風部８４より下側のズボン７１に外側から密着可能になっている。
【００３３】
ズボン７１の前側には、左右方向の両側にポケット９１，９２が設けられている。ズボン７１の前側且つ左側には、ポケット９１の内側、即ち着用者側には、両面式の折り返しポケット９５が設けられている。折り返しポケット９５は、ズボン７１の内側にある状態でも機能し、図６及び図７に示すように、ズボン７１の内側から外側に折り返した状態でも機能する。ズボン７１の後側にも、左右方向の両側にポケット９３，９４が設けられている。
【００３４】
以上説明した空調ウェア１０は、図８（ａ）に示すように、上着２１、送風ファン５１及びズボン７１を備えている。周方向の背中側のズボン７１の上端には密着部７５が設けられ、密着部７５より下側のズボン７１には通風部８４が設けられている。図８（ｂ）に示すように、周方向の背中側において通風部８４と重なるコード挿通部４２は、上着２１と着用者１００の上半身１０１との間に外気２００が送風された状態でズボン７１に外側から密着可能である。
【００３５】
空調ウェア１０によれば、送風ファン５１の作動によって、上着２１と着用者の上半身との間に外気２００が取り込まれ、上下方向に送風される。外気２００によって上着２１は膨らむが、着用者がコード４５をコード挿通部４２から引き出してコード挿通部４２をズボン７１に密着させることで、裾部４１のうち背中にあたる部分７０に、下降しつつ後側から前側に湾曲する湾曲面９８が形成される。上着２１と上半身との間で下側に送風された外気２００は、湾曲面９８によって後側から前側に向かいつつ、下降する。空調ウェア１０では、通風部８４がズボン７１に密着しているコード挿通部４２より上側、且つ外気２００の進行方向に略直交するように位置しているので、外気２００が円滑に通風部８４の後側から前側に通る。このことによって、外気２００が通風部８４から滞りなくズボン７１と着用者１００の下半身１０２との間に送風される。
【００３６】
上述のように、外気２００が通風部８４から滞りなくズボン７１と着用者１００の下半身１０２との間に送風されることによって、下半身１０２を良好に冷却できる。例えば、従来の空調ウェアのように、湾曲面９８に合った通風部８４を備えていない空調ウェアで腰部のベルトと着用者との隙間を調節するだけでは、本発明を適用した空調ウェア１０における下半身１０２の冷却能力及び快適性は得にくい。
【００３７】
空調ウェア１０によれば、従来の空調ウェアのように上着が二重になっていないので、上半身１０１の快適性は損なれない。また、空調ウェア１０は、通常の服と同様に上着２１及びズボン７１を着ればよく、着脱を容易にできる。
【００３８】
また、空調ウェア１０では、周方向において通風部８４は着用者１００の腰部１０３の背中側に当たる部分に設けられ、上着２１の腰部１０３の背中側にあたる着丈が他の部分の着丈より長くなっている。空調ウェア１０によれば、着用者１００の腹部を冷やしすぎることなく背中側から下半身１０２を冷却できる。
【００３９】
また、空調ウェア１０では、上着２１の下端には、周方向に沿って設けられたコード挿通部４２と、コード挿通部４２に形成されたコード取出口４３，４４と、コード挿通部４２に挿通され、端部４６がコード取出口４３，４４からコード挿通部４２の外部に取り出されたコード４５と、端部４６を係止するストッパー４８と、を備えている。空調ウェア１０によれば、コード挿通部４２に対してコード４５を適宜掃引して端部４６をストッパー４８で係止すれば、ズボン７１に対するコード挿通部４２の密着状態及び解除状態を容易に切り替えられる。また、空調ウェア１０によれば、コード挿通部４２をズボン７１に密着させた状態で、着用者がコード挿通部４２からのコード４５の引き出し量を調整することで、通風部８４から下側に送風される外気２００も調節できる。
【００４０】
以上、本発明の好ましい実施形態について詳述したが、本発明は特定の実施形態に限定されない。本発明は、特許請求の範囲内に記載された本発明の要旨の範囲内において、変更可能である。
【００４１】
例えば、上述の実施形態では、通風部８４はズボン７１の背中側即ち後側に設けられているが、通風部８４の位置は周方向の任意の位置に変更できる。通風部８４の位置に合わせて、上着２１の着丈も周方向において少なくとも通風部８４と重なる位置で長くなっていればよい。
【００４２】
また、上述の実施形態では、上着２１の下端にコード挿通部４２、コード４５及びストッパー４８が設けられていることによって、上着２１の下端が通風部８４より下側のズボン７１に密着可能であったが、前述の構成とは異なる構成で上着２１の下端が通風部８４より下側のズボン７１に密着可能であってもよい。例えば、上着２１の下端と通風部８４より下側のズボン７１とがマジックテープ（登録商標）によって密着可能であってもよい。
【００４３】
また、上述の実施形態では、コード取出口４３，４４が着用者の左側及び右側の脇下近傍のコード挿通部４２に形成されているが、例えば前側且つ線ファスナー２６の下端の近傍のコード挿通部４２の外側に形成されていてもよい。このような構成では、着用者が空調ウェア１０を着用した状態で前側においてズボン７１に対するコード挿通部４２の密着状態及び解除状態を容易に切り替えられる。
【符号の説明】
【００４４】
１０  空調ウェア
２１  上着
５１  送風ファン
７１  ズボン
７５  密着部
８４  通風部
１００  着用者
１０１  上半身
１０２  下半身
【図１】
2020125550.tif 000003
【図２】
2020125550.tif 000004
【図３】
2020125550.tif 000005
【図４】
2020125550.tif 000006
【図５】
2020125550.tif 000007
【図６】
2020125550.tif 000008
【図７】
2020125550.tif 000009
【図８】
2020125550.tif 000010